(57)【要約】  本発明は通気孔を形成するための生地の製織方法及びその生地に関するもので、経糸として経糸原糸と経糸可溶性糸を用意し、経糸原糸の間に可溶性糸を２〜８本繰り返し配置する経糸用意ステップと、経糸原糸はヘドルを貫通させた後、原糸１本をボディの肉の間の１つの空間に配置して製織することができるようにする一方、用意した経糸中に可溶性糸の２〜８本はヘドルを貫通させた後、半分に分けて両側にベース原糸組織部を製織するための１本の原糸とともにボディの肉の間の１つの空間に配置する経糸通しステップと、ベース原糸組織を製織するが、経糸可溶性糸は製織から除外し、経糸原糸を開口させながら緯糸原糸を緯入れしてベース原糸組織部を製織するステップと、前記ベース原糸組織部を製織するステップが行われる間に可溶性糸組織部を製織すべき位置では、経糸原糸全体を下に下げるかまたは上部に上げ、経糸可溶性糸を交互に開口させながら、緯糸可溶性糸を緯入れして可溶性糸組織部を製織するステップと、からなることを特徴とする。
2020507690.tif 000002
【特許請求の範囲】
【請求項１】
織機で経糸と緯糸で通気孔を形成するための生地の製織方法において、
生地を製織するための経糸（１０）は、経糸原糸（１１）と経糸可溶性糸（１２）を用意し、経糸原糸（１１）の間に所定間隔で経糸可溶性糸（１２）を２〜８本繰り返し配置する経糸用意ステップと、
前記用意された経糸中にベース原糸組織部を製織するための経糸原糸（１１）は、ヘドルを貫通させた後、１本ずつボディの肉の間の１つの空間に配置して製織することができるようにする一方、用意された経糸中に可溶性糸組織部を製織するための経糸可溶性糸（１２）の２〜８本はヘドルを貫通させた後、半分に分けて両側にベース原糸組織部を製織するための１本の経糸原糸とともにボディの肉の間の１つの空間に配置する経糸通しステップと、
ベース原糸組織を製織するが、経糸として用いられた経糸可溶性糸は製織から除外し、経糸原糸（１１）を開口させながら緯糸原糸（１１`）を緯入れしてベース原糸組織部を製織するステップと、
前記ベース原糸組織部を製織するステップが行われる間に可溶性糸組織部を製織する位置では、経糸原糸全体を下に下げるかまたは上部に上げ、経糸可溶性糸（１２）を交互に開口させながら、緯糸可溶性糸（１２`）を緯入れして可溶性糸組織部を製織するステップと、でベース原糸組織部と可溶性糸組織部が製織されることを特徴とする通気孔を形成するための生地の製織方法。
【発明の詳細な説明】
【技術分野】
【０００１】
本発明は通気孔を形成するための生地の製織方法及びその生地に関するもので、より詳しくは、基本的に生地を構成するベース原糸組織部と、ベース原糸組織部の中間の何れの位置に可溶性糸の処理加工により通気孔を形成するための可溶性糸組織部を製織する方法に関する。
【背景技術】
【０００２】
周知のように、衣類の大部分は安価で大量生産が可能な合成繊維で製造されるが、このような合成繊維で製造された衣類は、着用時に衣類が体の肌に直接密着されて汗を吸収し且つ排出させる機能が綿などの天然繊維に比べて大きく劣るなどたくさんの欠点がある。
【０００３】
前述した欠点を解決するために、体から汗を直接吸収して外部に迅速に発散する機能が強化された合成繊維が開発されて、多様な種類の衣類に製造されているが、合成繊維で製造された衣類は、合成繊維が直接体の皮膚に接触して汗を吸収して排出するため、汗を吸収して排出するのに限界があり、これを解決するために、メッシュ生地のように無数の通気孔が形成された多様な形態のメッシュ生地が開発されているが、衣類に使用するには生地の耐久性が大幅に低下するなどの問題がある。
【０００４】
そこで、最近では、前述したメッシュ生地の問題を解決するために、経糸と緯糸で生地を製織して生地に通気孔を形成し、通気性と耐久性が大幅に向上された通気性機能を有する生地が開示されている。その例としては、先行技術である韓国登録特許１０−０９５９５０９号（通気性生地の製造方法）がある。
【０００５】
しかしながら、前述した通気性生地の製造方法によって製造された通気性生地は、原糸の間に製織された可溶性糸が経糸と緯糸の方向に間隔を隔てて繰り返し製織されているため、可溶性糸を処理加工した後、経糸方向に通気孔が帯状に長く形成され、また、緯糸方向に間隔を隔てて繰り返されながら通気孔が帯状に形成されて、交差部に通気孔が大きく形成されるしかない。
【０００６】
前記のように、経糸と緯糸方向に間隔を隔てて繰り返されながら帯状の通気孔が形成されると、生地の耐久性に影響を与えるため、帯状の通気孔を狭い間隔で形成することはできない。
【０００７】
その故、生地の経糸と緯糸が互いに会う交差部に通気孔を形成させるのに限界があり、それにより通気孔の位置変化による多様なデザインを演出することができず、生地の耐久性も大幅に低下するなどの諸問題点がある。
【発明の概要】
【発明が解決しようとする課題】
【０００８】
本発明は、前記のような問題点を解決するためのものであり、可溶性糸が除去されても生地の耐久性に問題がなく、ベース生地組織部の密度が稠密に保持されるように経糸と緯糸に用いられる可溶性糸はベース原糸組織部を製織する時、未製織状態にし、可溶性糸の処理加工後に通気孔が形成される可溶性糸組織部のみ製織することができる製織方法を提供することを目的とする。
【０００９】
また他の目的は、通気孔の位置を多様に形成することができ、それにより、デザインの演出を多様にすることができる生地を提供することができる通気孔を形成するための生地の製織方法を提供することにある。
【課題を解決するための手段】
【００１０】
本発明は、生地を製織するための経糸として経糸原糸と経糸可溶性糸を用意し、経糸原糸の間に可溶性糸２〜８本を繰り返し配置する経糸用意ステップと、前記用意した経糸中にベース原糸組織部を製織するための経糸原糸はヘドルを貫通させた後、原糸１本をボディの肉の間の１つの空間に配置して製織することができるようにする一方、用意された経糸中に可溶性糸組織部を製織するための可溶性糸の２〜８本はヘドルを貫通させた後、半分に分けて両側にベース原糸組織部を製織するための１本の原糸とともにボディの肉の間の１つの空間に配置する経糸通しステップと、を有する。
【００１１】
通気孔を形成するための生地を構成するベース原糸組織部を製織するが、可溶性糸組織部を製織するために、経糸として用いられた経糸可溶性糸は製織で除外し、ベース原糸組織部を製織するために用いられた経糸原糸を開口させながら原糸組織部を製織するための緯糸原糸を緯入れして、ベール原糸組織部を製織するステップを有し、前記ベース原糸組織部を製織するステップが行われる間に、通気孔を形成するための可溶性糸組織部を製織すべき位置では、ベース原糸組織部を製織するために経糸として用いられた経糸原糸全体を下に下げるかまたは上部に上げ、可溶性糸組織部を製織するために経糸として用いられた経糸可溶性糸を交互に開口させながら、可溶性糸組織部を製織するための緯糸可溶性糸を緯入れして可溶性糸組織部を製織するステップからなることを特徴とする。
【発明の効果】
【００１２】
以上のような本発明によれば、生地を構成するベース原糸組織部に間隔を隔てて可溶性糸組織部が製織されて、可溶性糸を処理加工した後には可溶性糸組織部の位置に通気孔が形成されるので、通気孔が形成された生地を簡単に提供することができるという効果を奏する。
【００１３】
また、生地に形成された可溶性糸組織部の位置を製織する過程で多様に変化させることができるので、多様な形態のデザインを簡単に演出することができ、特に生地を構成するベース原糸組織部には、可溶性糸が製織されていないので、可溶性糸を溶解した後にも通気孔の形状と原糸組織部の密度に変化がなく、通気孔が形成された生地の耐久性を大幅に向上させるという効果を奏する。
【図面の簡単な説明】
【００１４】
【図１】本発明による生地を製織するために原糸と可溶性糸を供給して製織する織機の例示図である。
【図２】本発明による生地を製織する過程で原糸が下がった状態を示した例示図である。
【図３】本発明による生地を製織する過程で原糸が上がった状態を示した例示図である。
【図４】本発明によって製織された生地の表面を示した拡大例示図である。
【図５】本発明によって製織された後、可溶性糸が除去された状態の生地の例示図（写真）である。
【発明を実施するための形態】
【００１５】
本発明による通気孔を形成するための生地の製織方法及びその生地について添付図面を参照して詳しく説明すれば次の通りである。
【００１６】
織機で通気孔を形成するための生地を製織する方法を各工程別に説明する。
【００１７】
第１工程の経糸用意工程
【００１８】
通気孔を形成するための生地１を製織するための経糸１０は、経糸原糸１１と経糸可溶性糸１２を同時に経糸ビーム５０に巻き取って用意する。経糸原糸１１の間に所定間隔で経糸可溶性糸１２を２〜８本繰り返し配置して経糸を用意する（図面では４本を例として説明した）。
【００１９】
第２工程の経糸通し工程
【００２０】
前記第１工程によって経糸ビームに用意された経糸１０中にベース原糸組織部１３を製織するための経糸原糸１１は、ヘドル３０を貫通させ、１本の原糸をボディ４０の肉の間の１つの空間４１に配置して製織することができるようにする一方、用意された経糸１０中に可溶性糸組織部１４を製織するための経糸可溶性糸１２を２〜８本はヘドル３０を貫通させた後、半分に分けて両側にベース原糸組織部１３を製織するための１本の経糸原糸１１とともにボディ４０の肉の間の１つの空間４１に配置して経糸通しを完了する。従って、経糸可溶性糸１２が供給されるボディ４０の肉の間には、１本の経糸原糸１１と２本の経糸可溶性糸が共に通過することになる。
【００２１】
第３−１工程ベース原糸組織部製織工程
【００２２】
第２工程で織機に経糸通しが完了された状態で、通気孔を形成するための生地を構成するベース原糸組織部１３を製織する。まず、可溶性糸組織部１４を製織するために、経糸として用いられる経糸可溶性糸１２は製織から除外し、ベース原糸組織部１３を製織するために用いられた経糸原糸１１を開口させながらベース原糸組織部１３を製織するための緯糸原糸１１`を緯入れしてベース原糸組織部１３を製織する。
【００２３】
従って、ベース原糸組織部１３は、経糸可溶性糸１２が未製織された状態で通る。
【００２４】
第３−２工程可溶性糸組織部製織工程
【００２５】
前記３−１工程が続く間、通気孔を形成するための可溶性糸組織部１４を製織すべき位置では、前記第３−１工程で、ベース原糸組織部１３を製織するために経糸として用いられた経糸原糸１１全体を下に下げるかまたは上部に上げ、可溶性糸組織部１４を製織するために経糸として用いられる経糸可溶性糸１２のみを交互に開口させながら、可溶性糸組織部１４を製織するための緯糸可溶性糸１２`を緯入れして可溶性糸組織部１４を製織する。
【００２６】
前記第３−２製織工程で経糸として用いられた原糸全体を下に下げるかまたは上部に上げる理由は、経糸として用いられた経糸原糸１１全体に張力が及ぼすようにして、経糸として用いられる経糸可溶性糸１２を交互に開口させながら、可溶性糸組織部１４を製織するとき製織された生地が生地ビーム６０に巻き取られる幅を減小するようすることによって、ベース原糸組織部１３の緯糸方向に緯糸の密度がより稠密に形成されるようにするためのものであり、このように緯糸方向に密度が稠密になると、緯糸として用いられた緯糸可溶性糸１２`がベース原糸組織部１３で未製織され、可溶性糸組織部１４のみを製織しても、ベース原糸組織部１３の緯糸密度に大きな変化を与えない。
【００２７】
また、２〜８本の可溶性糸を半分に分けて（図面上４本の中２本）両側に原糸組織部１３を製織するための１本の経糸原糸１１とともにボディ４０の肉の間の１つの空間４１に配置して製織する理由は、経糸として用いられた経糸可溶性糸１２がベース原糸組織部１３に未製織状態で通っても経糸密度に大きな変化を与えないので、生地の品質を高めることができる。
【００２８】
前記工程によって製織された通気孔を形成するための生地は、原糸として経糸原糸１１と緯糸原糸１１`を供給して製織されたベース原糸組織部１３と、可溶性糸として経糸可溶性糸１２と緯糸可溶性糸１２`を供給して製織された可溶性糸組織部１４とで構成される。
【００２９】
前記可溶性糸組織部１４を製織した経糸可溶性糸１２は、生地の裏面から出て未製織された状態で、ベース原糸組織部１３を通って、次の可溶性糸組織部１４に製織され、可溶性糸組織部１４を製織した緯糸可溶性糸１２`は、生地の表面又は裏面から出て未製織された状態で可溶性糸組織部１４の両側ベース原糸組織部１３を通って可溶性糸組織部１４に製織されて構成される。
【００３０】
前記のように構成された通気孔を形成するための生地は、原糸によって製織されたベース原糸組織部１３を除いて、未製織された経糸可溶性糸１２、緯糸可溶性糸１２`及び可溶性糸で製織された可溶性糸組織部１４が除去されて通気性及び耐久性に非常に優れた通気孔が形成された生地が提供される。
【００３１】
前記のような通気孔が形成された生地を提供するために可溶性糸を除去する実施例を説明する。
【００３２】
本発明によって製織された通気孔を形成するための生地を水酸化ナトリウムを水に希釈した溶液で処理すれば、生地を構成する経糸と緯糸として用いられた可溶性糸が自然に溶け込んでなくなる。
【００３３】
つまり、通気孔を形成するための生地を構成するベース原糸組織部を通った可溶性糸と可溶性糸組織部に製織された可溶性糸のみ水酸化ナトリウムを水で希釈した溶液によって除去されるのである。
【００３４】
そこで、通気孔を形成するための生地を構成するベース原糸組織部を除いた可溶性糸組織部が除去されて通気孔を形成し、生地を構成する原糸組織部の経糸方向と緯糸密度に大きな変化がないので、可溶性糸が除去されて通気孔が形成された生地の耐久性を大幅に向上させることができる。
【００３５】
前記可溶性糸を除去するための実施例は、可溶性糸を除去するいくつかの方法の一つに過ぎず、本発明の特許とは関係がない。
【図１】
2020507690.tif 000003
【図２】
2020507690.tif 000004
【図３】
2020507690.tif 000005
【図４】
2020507690.tif 000006
【図５】
2020507690.tif 000007
【国際調査報告】
2020507690.tif 000008
2020507690.tif 000009
2020507690.tif 000010
2020507690.tif 000011